(57)【要約】  【課題】表示部に表示されたネットワーク上のフォルダ内のファイルデータを印刷することが可能な複合端末装置を提供する。  【解決手段】ユーザがデジタル複合機１のメニュー画面でネットワークフォルダ印刷を選択すると、表示部にネットワーク上のブラウズリストが表示され、ユーザがいずれかのフォルダを選択すると、指定されたフォルダ内のファイルが表示される。そして、ユーザが表示されたファイルのいずれかを選択して印刷を指示すると、そのファイルのファイル形式がデジタル複合機１でデコード可能なファイル形式か否かが判定され、デコード可能なファイルでない場合、パソコンＸに常駐しているデコーダーによってそのファイルがデジタル複合機１でデコード可能なファイル形式に変換された後、印刷処理が実行される。  【選択図】図１
2006197158.tif 000002
【特許請求の範囲】
【請求項１】
ネットワーク上のフォルダまたは装置内部に存在するフォルダを表示部に表示して閲覧可能な複合端末装置において、
印刷手段と、上記表示部に表示されたネットワーク上のフォルダまたは装置内部に存在するフォルダ内のファイルデータを上記印刷手段により直接印刷する制御手段とを備えたことを特徴とする複合端末装置。
【請求項２】
請求項１に記載の複合端末装置において、
上記制御手段が、印刷すべきファイルがデコード可能なファイルか否かを判別し、デコード不可能なファイルの操作が実行された場合、デコーダーを常駐させているネットワーク上の端末装置により当該ファイルをデコードすることを特徴とする複合端末装置。
【請求項３】
請求項２に記載の複合端末装置において、
デコード不可能なファイルの操作が実行された場合、上記制御手段が、ファイルのリンク先とそのフォルダへのログインに必要なパラメータを上記端末装置に通知することを特徴とする複合端末装置。
【請求項４】
請求項２に記載の複合端末装置において、
デコード不可能なファイルの操作が実行された場合、上記制御手段が、当該ファイルをログイン不要なフォルダ領域にコピーしてからそのリンク先を上記端末装置に通知することを特徴とする複合端末装置。
【発明の詳細な説明】
【技術分野】
【０００１】
本発明はパーソナルコンピュータ（以下、パソコンという）などの外部装置とＬＡＮなどの通信ネットワークを介して接続されるとともに、通信ネットワーク上のフォルダまたは装置内部に存在するフォルダを表示部に表示して閲覧可能な複合端末装置に関する。
【背景技術】
【０００２】
デジタル複合機等の複合端末装置は、本来のコピー機能、ファクシミリ機能に加えて、通信ネットワークを介して接続されたパソコン等から送られる画像情報を他のファクシミリ装置へ送信する機能、その画像情報をプリントアウトするプリンタ機能及びメール送信機能を備えている。
【０００３】
このような複合端末装置において、他のファクシミリ装置へパソコンからの画像情報を伝送する場合、パソコンからプリンタに送られるページ記述言語（ＰＤＬ）で表された画像データと宛先情報（送信相手先のファクシミリ番号等）などが盛り込まれたＰＪＬデータとを通信データとしてパソコンから入力し、そのＰＤＬデータを送信相手先のファクシミリ装置の能力に応じたイメージデータに変換し、変換したイメージデータを送信することが一般的である。
【０００４】
また、メール送信する場合は、パソコンから受け取った画像データを電子メールに添付可能なファイル形式（例えば、ＴＩＦＦ形式ファイル）に変換して電子メール用の添付ファイルを作成し、作成した添付ファイルを電子メールに添付してインターネット上の宛先（ホスト装置）に送信している。
【０００５】
一方、パソコンから複合端末装置に送信されるファイルの中には、ＰＤＬ形式以外の形式のファイル、例えばＴＩＦＦ形式のファイルやテキストデータのファイルが含まれているので、送信されてきたファイルのファイル形式を判別してビットマップ画像に変換することが行われている（例えば、特許文献１参照。）。
【特許文献１】特開２００４−２３５７７３号公報
【発明の開示】
【発明が解決しようとする課題】
【０００６】
上記のような複合端末装置では、ネットワーク上のフォルダや装置内部の、例えば、コンパクトフラッシュ（登録商標）等の大容量のメモリに記憶されているストレージの内容を表示部に表示して閲覧することができるようになっているが、そのフォルダからファイルを選択してファイルデータをプリントアウトすることができなかった。
【０００７】
また、ファイルの中にはＰＤＬ形式のファイルやＴＩＦＦ形式のファイルのように複合端末装置が扱える、すなわち、デコード可能なファイルばかりではなく、文書作成ソフト、表計算ソフトあるいは図面作成ソフトのファイル等様々なファイルが混在しているので、それらのファイルをＰＤＬ形式等の印刷可能なファイルに変換するソフトが必要となり、複合端末装置の資源を消費するという問題があった。
【０００８】
さらに、パソコンで処理するデータとしては、上記のように様々なファイル形式の文書や画像が多数あり、ファイル形式は多様であるので、全てのフォーマットに対応できるように、ファイル変換ソフトを複合端末装置に用意することは困難であり、また、アプリケーションソフトウェアのバージョンアップ等が頻繁に行われており、このバージョンアップでファイル形式が変更されることも多くあるので、複合端末装置で個々のバージョンアップに対応することが困難である、という問題も生じている。
【０００９】
本発明は、上記の問題に鑑みてなされたもので、ネットワーク上のフォルダ内のファイルデータを複合端末装置の操作パネルを通して印刷できるとともに、複合端末装置内に様々な形式のファイルのデコードソフトを設けることなく、様々なファイル形式のファイルのデータを印刷することができる複合端末装置を提供することを目的とする。
【課題を解決するための手段】
【００１０】
上述の目的を達成するため、請求項１に係る発明の複合端末装置は、ネットワーク上のフォルダまたは装置内部に存在するフォルダを表示部に表示して閲覧可能な複合端末装置において、印刷手段と、上記表示部に表示されたネットワーク上のフォルダまたは装置内部に存在するフォルダ内のファイルデータを上記印刷手段により直接印刷する制御手段とを備えたことを特徴とする。
【００１１】
また、請求項２に係る発明の複合端末装置は、請求項１に記載の複合端末装置において、上記制御手段が、印刷すべきファイルがデコード可能なファイルか否かを判別し、デコード不可能なファイルの操作が実行された場合、デコーダーを常駐させているネットワーク上の端末装置により当該ファイルをデコードすることを特徴とする。
【００１２】
また、請求項３に係る発明の複合端末装置は、請求項２に記載の複合端末装置において、デコード不可能なファイルの操作が実行された場合、上記制御手段が、ファイルのリンク先とそのフォルダへのログインに必要なパラメータを上記端末装置に通知することを特徴とし、
請求項４に係る発明の複合端末装置は、請求項２に記載の複合端末装置において、デコード不可能なファイルの操作が実行された場合、上記制御手段が、当該ファイルをログイン不要なフォルダ領域にコピーしてからそのリンク先を上記端末装置に通知することを特徴とする。
【発明の効果】
【００１３】
請求項１に係る発明の複合端末装置によれば、表示部に表示されたネットワーク上のフォルダまたは装置内部に存在するフォルダ内のファイルデータを直接印刷する制御手段を備えているので、ネットワーク上のフォルダ内のファイルデータを操作パネルを通して容易に印刷することが可能となる。
【００１４】
また、請求項２〜請求項４に係る発明の複合端末装置によれば、印刷すべきファイルがデコード不可能なファイルであった場合には、デコーダーを常駐させているネットワーク上の端末装置により当該ファイルをデコードすることができるので、複合端末装置によってデコードすることが不可能なファイルのデータについても印刷することが可能となる。
【実施例】
【００１５】
以下、本発明の複合端末装置の実施例について、図面を用いて説明する。図１は本発明の複合端末装置としてのデジタル複合機を備えたシステムのネットワーク構成例を示す図であり、図２はデジタル複合機のハードウェア構成を示すブロック図である。
【００１６】
図１に示すネットワーク構成図において、１はデジタル複合機（ＭＦＰ）、Ｘ、２、３、４、・・・はパソコン、５は公衆交換電話網（ＰＳＴＮ）、６はＬＡＮ（Local Area Network）、７はインターネット網である。
デジタル複合機１はコピーモード、プリンタモード、ファクスモードの各機能を備えるとともに、メール送信機能も備え、ＰＳＴＮ５及びＬＡＮ６に接続されており、このＬＡＮ６に複数のパソコンＸ、２、３、４、・・・が接続されている。また、このＬＡＮ６はインターネット網７にも接続されており、デジタル複合機１はこのインターネット網７を介してメールの送受信を行うことが可能である。
また、パソコンＸは様々な形式のファイルをＰＤＬ形式のファイルにデコードするソフトウェア（デコーダー）を常駐させている専用パソコンであり、常時電源がオンされている。
【００１７】
図２はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、及びＬＡＮインターフェース（Ｉ／Ｆ）２１から構成され、各部がバス２２を介して接続されている。
【００１８】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機１の動作に必要な種々のプログラムや操作メッセージ等を予め記憶している。また、ＲＡＭ１３はＳＲＡＭ等で構成され、プログラムの実行時に発生する一時的なデータを記憶するとともに、各パソコン２、３、４等のユーザＩＤ、パスコードを記憶している。
【００１９】
表示・操作部１４は、図３に示すように、デジタル複合機１の動作状態を表示したり、種々の機能の操作画面の表示を行うＬＣＤ表示部３１と、デジタル複合機１を操作するための多数の操作キーよりなる操作部とから構成され、デジタル複合機１の操作パネルに設けられている。ＬＣＤ表示部３１にはタッチパネルスイッチが配設されており、このＬＣＤ表示部３１に表示されたメニューボタン、ワンタッチボタン等の各種キーメニューの部分を押下することにより、対応するキーの選択または機能の実行を行うことができる。
また、操作部として、テンキー３２、スタートキー３３、リセットキー３４、ストップキー３５、十字キー３６、リターンキー３７、セットキー３８、ＦＡＸ切替キー３９、コピー切替キー４０、スキャナ切替キー４１等の各種キーが設けられている。
【００２０】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトするものである。
【００２１】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２２】
モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２３】
また、ＬＡＮインターフェース２１はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２４】
デジタル複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。
【００２５】
また、ＬＡＮインターフェース２１を介してパソコン２等からプリント実行指示があった場合、パソコン２から受信したページ記述言語で表された画像情報（ＰＤＬデータ）をラスタライズ処理してイメージデータを作成し、作成したイメージデータをコーデック１８によりＭＭＲ符号化して画像メモリ１６に記憶した後、この画像メモリ１６に蓄積されている２値符号化データをコーデック１８により復号して記録部１７に供給することにより、プリント処理を行う。
【００２６】
次に、ユーザがデジタル複合機１のＬＣＤ表示部３１を通してパソコン２、３、４等のフォルダ内のファイルのデータの印刷を行う場合の作用について図４のフローチャートを用いて説明する。
ユーザがＬＣＤ表示部３１のメニュー画面でネットワークフォルダ印刷を選択すると、ＣＰＵ１１は図４のフローチャートに示すプログラムを開始し、まず、印刷用指定フォルダの設定があるか否かを判定し（ステップ１０１）、印刷用指定フォルダの設定がないと判定した場合、ネットワーク上のブラウズリストを取得し、図５に示すように、ＬＣＤ表示部３１に表示する（ステップ１０２）。
【００２７】
次に、ＣＰＵ１１は図５の表示画面において、ネットワーク上のブラウズリストの中からいずれかのフォルダが選択されたか否かを判定し（ステップ１０３）、いずれかのフォルダが選択された場合、図６に示すように、ＬＣＤ表示部３１に指定されたフォルダ内のファイルの一覧情報を表示する（ステップ１０４）。
一方、ステップ１０１で印刷用指定フォルダがデジタル複合機１内に設定されていると判定した場合、ＣＰＵ１１はＲＡＭ１３に記憶されている指定されたフォルダのリンク先を読み出し、そのフォルダ内のファイルの一覧情報をＬＣＤ表示部３１に表示する（ステップ１０４）。この後、ユーザによりＬＣＤ表示部３１に表示されたファイルのいずれかの選択処理が行われる（ステップ１０５）。
【００２８】
次に、ＣＰＵ１１は図６のファイル表示画面の「印刷」ボタンが押下されたか否かを判別することにより、印刷実行が指示されたか否かを判定し（ステップ１０６）、印刷実行が指示されたと判定すると、ユーザによりファイルが選択されているか否かを判定する（ステップ１０７）。ファイルが選択されていないと判定した場合、ステップ１０５に戻り、ファイルが選択済みの場合、ＣＰＵ１１は、図７に示す印刷部数等の編集パラメータの入力画面をＬＣＤ表示部３１に表示し、ユーザにより編集パラメータの入力が行われる（ステップ１０８）。
【００２９】
この編集パラメータ入力画面では、図７に示すように、印刷部数、拡大・縮小率、印刷範囲を指定することができ、ユーザはこれらを指定した後、「ＯＫ」ボタンを押下することにより、印刷を行うことができる。
ＣＰＵ１１は、この「ＯＫ」ボタンが押下されたか否かを判別することにより、編集パラメータが確定したか否かを判定し（ステップ１０９）、編集パラメータが確定していないと判定した場合、ステップ１０８に戻り、編集パラメータが確定したと判定した場合、印刷処理を実行する（ステップ１１０）。
【００３０】
すなわち、ＣＰＵ１１は指定されたファイルが格納されているパソコンのユーザＩＤ、パスコードをＲＡＭ１３から読み出し、これらを使用してそのパソコンからファイルを取り出す。次に、ＣＰＵ１１は、そのファイルデータをラスタライズ処理してイメージデータを作成し、作成したイメージデータをコーデック１８によりＭＭＲ符号化して画像メモリ１６に記憶した後、この画像メモリ１６に蓄積されている２値符号化データをコーデック１８により復号して記録部１７に供給することによりプリント処理を行う。
【００３１】
以上のように、ＬＣＤ表示部３１に表示されたフォルダ情報及びファイル一覧情報で所望のフォルダ内のファイルを選択することにより、そのファイル内のデータを簡単にプリント処理することができる。
【００３２】
上記の実施例では、ファイルをデジタル複合機内でデコードする場合について説明したが、上記のように、パソコンで処理されるデータには、様々なファイル形式の文書や画像が多数あり、すべての形式のファイルをデジタル複合機でデコードすることは困難であるので、ネットワーク上のパソコンＸに常駐しているデコーダーを利用することにより、様々な形式のファイルを印刷することもできる。
【００３３】
以下、パソコンＸのデコーダーを利用して印刷処理を行う場合の作用について図８のフローチャートにより説明するが、図８のフローチャートのステップ２０１〜２０９の作用は、図４のフローチャートのステップ１０１〜１０９の作用と同じであるので、説明を省略し、ステップ２１０以降について説明する。
ステップ２０９において、編集パラメータが確定したと判定した場合、ＣＰＵ１１は、指定されたファイルがコーデック１８によりデコード可能なファイルか否かを判定し（ステップ２１０）、デコード可能なファイルであると判定した場合、直ちに印刷処理を実行する（ステップ２１１）。
【００３４】
すなわち、上記と同様に、ＣＰＵ１１は指定されたファイルが格納されているパソコンのユーザＩＤ、パスコードをＲＡＭ１３から読み出し、これらを使用してそのパソコンからファイルを取り出し、次に、そのファイルデータをラスタライズ処理してイメージデータを作成し、作成したイメージデータをコーデック１８によりＭＭＲ符号化して画像メモリ１６に記憶した後、この画像メモリ１６に蓄積されている２値符号化データをコーデック１８により復号して記録部１７に供給することによりプリント処理を行う。
【００３５】
一方、ステップ２１０で指定されたファイルがコーデック１８によりデコード不可能なファイルと判定した場合、ＣＰＵ１１はパソコンＸによるデコード処理を実行する（ステップ２１２）。
すなわち、ＣＰＵ１１は指定されたファイルが格納されているパソコンのユーザＩＤ、パスコードをＲＡＭ１３から読み出し、このユーザＩＤ、パスコードとファイル格納箇所情報をＬＡＮインターフェース２１、ＬＡＮ６を介してパソコンＸに送信する。これらの情報を受信したパソコンＸは、指定されたファイルが格納されているパソコンに対して上記ユーザＩＤとパスコードを使用してアクセスし、指定されたファイルを読み出した後、デコーダーによりＰＤＬ形式のファイルにデコードしてデジタル複合機１に送信する。
そして、パソコンＸからＰＤＬ形式のファイルを受信すると、デジタル複合機１のＣＰＵ１１は上記のように印刷処理を実行する（ステップ２１１）。
【００３６】
以上のように、ＬＡＮ６に接続されたパソコンＸのデコーダーの機能を使用することにより、デジタル複合機１でデコードすることができないファイルが指定された場合であっても、所定のファイル形式に変換されて転送されるので、デジタル複合機１で印刷することが可能となる。
したがって、デジタル複合機１に様々な形式のファイルをデコードする機能が備えられていなくとも、様々なファイル形式の文書や画像を印刷することができる。
【００３７】
なお、上記の実施例では、デコード不可能なファイルが指定された場合、パソコンＸにファイルのリンク先とそのフォルダへのログインに必要なパラメータを通知したが、当該ファイルをログイン不要なフォルダ領域、例えば、デジタル複合機内のフォルダ、あるいは、共有パソコン内のフォルダ等にコピーしてからそのリンク先をパソコンＸに通知するようにすることもできる。
【００３８】
また、上記の実施例では、パソコンＸでデコードするファイル形式としてＰＤＬ形式を例として説明したが、デジタル複合機でデコード可能なファイル形式であれば、その他のファイル形式、例えば、ＴＩＦＦ形式にパソコンＸでデコードすることもできる。
さらに、上記の実施例では、デコーダーを備えた端末装置として、パソコンを例として説明したが、サーバにデコード機能を持たせ、このサーバを利用してファイル形式変換を行うようにすることも可能である。
【図面の簡単な説明】
【００３９】
【図１】本発明の複合端末装置としてのデジタル複合機を備えたシステムのネットワーク構成例を示す図である。
【図２】デジタル複合機のハードウェア構成を示すブロック図である。
【図３】デジタル複合機の操作パネルに設けられる表示・操作部の詳細を示す図である。
【図４】パソコンのフォルダ内のファイルデータの印刷を行う場合の作用を示すフローチャートである。
【図５】ネットワーク上のブラウズリストの表示画面の一例を示す図である。
【図６】ファイルの一覧表示画面の一例を示す図である。
【図７】編集パラメータ入力画面の一例を示す図である。
【図８】パソコンのデコーダーを利用して印刷処理を行う場合の作用を示すフローチャートである。
【符号の説明】
【００４０】
１  デジタル複合機
Ｘ、２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
３１  ＬＣＤ表示部
【図１】
2006197158.tif 000003
【図２】
2006197158.tif 000004
【図３】
2006197158.tif 000005
【図４】
2006197158.tif 000006
【図５】
2006197158.tif 000007
【図６】
2006197158.tif 000008
【図７】
2006197158.tif 000009
【図８】
2006197158.tif 000010